【手続補正書】
【提出日】平成19年2月7日(2007.2.7)
【手続補正１】
【補正対象書類名】特許請求の範囲
【補正対象項目名】全文
【補正方法】変更
【補正の内容】
【特許請求の範囲】
【請求項１】
内部容積を有するパッケージを形成し、
繊維を内部容積内に置き、
パッケージをシールし、そして
内部容積を排気することを含んでなる繊維の包装方法。
【請求項２】
繊維を圧縮する工程を更に含む請求項１に記載の方法。
【請求項３】
パッケージが頂壁、底壁及び複数の側壁を含む実質的に直方体形のパッケージを含んで構成され、
底壁を用意し、
その底壁の上に繊維を置き、
繊維の上に頂壁を置き、
頂壁と底壁との間の繊維を、圧縮力を適用することによって圧縮し、
側壁を圧縮された繊維の周りに置き、
側壁を、頂壁及び底壁に対して、そして相互にシールして、繊維を含む内部容積を有するシールされたチャンバーを形成し、
内部容積を排気し、そして
圧縮力を解放する
ことを含んでなる請求項１に記載の方法。
【請求項４】
パッケージが頂壁、底壁及び複数の側壁を含む実質的に直方体形のパッケージを含んで構成され、
底壁を用意し、
底壁の上に繊維を置き、
繊維の上に頂壁を置き、
頂壁と底壁との間の繊維を、圧縮力を適用することによって、圧縮する工程、
側壁を圧縮された繊維の周りに置き、
側壁を頂壁及び底壁に対して、そして相互にシールして、繊維を含む内部容積を有するシールされたチャンバーを形成し、
圧縮力を解放し、そして
繊維の平衡圧力が到達された後に内部容積を排気する
ことを含んでなる請求項２に記載の方法。
【請求項５】
繊維を用意し、繊維を圧縮し、繊維の周りにシール可能なチャンバーを形成し、チャンバーをシールし、チャンバーを排気し、そして次に圧縮を解放することを含んでなる弾性繊維の包装方法。
【請求項６】
繊維を用意し、繊維の周りにシール可能なチャンバーを形成し、チャンバーをシールし、チャンバー内の空気を逃がしながら繊維を圧縮することによってチャンバーを少なくとも部分的に排気し、そして次に圧縮を解放することを含んでなる弾性繊維の包装方法。
【請求項７】
繊維を用意し、繊維を圧縮し、圧縮された繊維を束縛し、圧縮を解放し、繊維の周りにシール可能なチャンバーを形成し、チャンバーをシールし、チャンバーを排気し、そして次に束縛を解放することを含んでなる弾性繊維の包装方法。
【請求項８】
追加の包装材料でシールされたパッケージを取り囲むことを更に含む請求項５に記載の方法。
【請求項９】
繊維を圧縮し、
繊維のまわりに実質的に直方体形のパッケージであって、パッケージが頂壁、底壁及び複数の側壁を含み、その少なくとも一つの壁がエバキュエータを含むパッケージを形成し、
パッケージをシールし、
パッケージをエバキュエータを通して排気して周囲環境圧力よりも低い内圧を達成せしめ、そしてその後
圧縮を解放する
ことを含んでなる方法によって製造された繊維ベール。
【請求項１０】
繊維がセルロースアセテート繊維である請求項９に記載の繊維ベール。
【請求項１１】
壁がポリマーフィルムから構成される請求項９に記載の繊維ベール。
【請求項１２】
壁がポリエチレン、ポリプロピレン、エチレンビニルアルコールポリマー、ナイロン、マイラー、ポリエチレンテレフタレート、ポリエチレンテレフタレートグリコール、ポリイミド、ポリアミド二軸延伸ナイロン、線状低密度ポリエチレン及び超線状低密度ポリエチレンの一種又はそれ以上を含んでなる請求項９に記載の繊維ベール。
【請求項１３】
壁が複数の層を含む請求項９に記載の繊維ベール。
【請求項１４】
壁が積層体構造の形状である請求項９に記載の繊維ベール。
【請求項１５】
壁が二酸化ケイ素で被覆されたポリマーフィルムを含む請求項９に記載の繊維ベール。
【請求項１６】
壁が金属箔を含む請求項９に記載の繊維ベール。
【請求項１７】
壁がガスバリヤー、湿分バリヤー又は臭気バリヤーの１種又はそれ以上を提供する請求項９に記載の繊維ベール。
【請求項１８】
エバキュエータがバルブ、ポート、チューブ又はホースから選ばれる請求項９に記載の繊維ベール。
【請求項１９】
エバキュエータが真空チェック弁を含む請求項９に記載の繊維ベール。
【請求項２０】
エバキュエータが複数のエバキュエータを含む請求項９に記載の繊維ベール。
【請求項２１】
内圧が１６，０００Ｐａから１０１，３２５Ｐａ未満までである請求項９に記載の繊維ベール。
【請求項２２】
内圧が４０，０００Ｐａ〜９２，０００Ｐａである請求項９に記載の繊維ベール。
【請求項２３】
内圧が５０，０００Ｐａ〜７０，０００Ｐａである請求項９に記載の繊維ベール。
【請求項２４】
生成ベールが幅８０ｃｍ〜１２０ｃｍ、長さ１００ｃｍ〜１５０ｃｍ及び高さ１０５ｃｍ〜１５５ｃｍである請求項９に記載の繊維ベール。
【請求項２５】
生成ベールが幅９５ｃｍ〜１０５ｃｍ、長さ１１５ｃｍ〜１２５ｃｍ及び高さ１２０ｃｍ〜１３５ｃｍである請求項９に記載の繊維ベール。
【請求項２６】
生成ベールの内容積が０．９ｍ3〜２．３ｍ3である請求項９に記載の繊維ベール。
【請求項２７】
生成ベールの内容積が１．２ｍ3〜１．８ｍ3である請求項９に記載の繊維ベール。
【請求項２８】
生成ベールの内容積が１．４ｍ3〜１．６ｍ3である請求項９に記載の繊維ベール。
【請求項２９】
生成ベールの内容積が１．７ｍ3〜２ｍ3である請求項９に記載の繊維ベール。
【請求項３０】
頂壁の縁と頂壁の中心点との高さの差が５ｃｍよりも小さい請求項９に記載の繊維ベール。
【請求項３１】
頂壁の縁と頂壁の中心点との高さの差が３ｃｍより小さい請求項９に記載の繊維ベール。
【請求項３２】
頂壁の縁と頂壁の中心点との高さの差が１ｃｍより小さい請求項９に記載の繊維ベール。
【請求項３３】
生成ベールの密度が０．２〜０．９ｇ／ｃｍ3である請求項９に記載の繊維ベール。
【請求項３４】
生成ベールの密度が０．４８〜０．８２ｇ／ｃｍ3である請求項９に記載の繊維ベール。
【請求項３５】
生成ベールの密度が０．５０〜０．７８ｇ／ｃｍ3である請求項９に記載の繊維ベール。
【請求項３６】
方法がシールされたパッケージを追加の包装材料で囲うことを更に含む請求項９に記載の繊維ベール。
【請求項３７】
壁が各壁がポリマーフィルム及びバリア要素を含む積層体構造を含む請求項９に記載の繊維ベール。
【請求項３８】
壁が水蒸気透過率が３８℃で１００平方インチ及び２４時間当り０．００１〜４．３ｇ／ｍｌのポリマーフィルム壁要素を含む請求項９に記載の繊維ベール。
【請求項３９】
壁が水蒸気透過率が３８℃で１００平方インチ及び２４時間当り０．００３〜０．３ｇ／ｍｌのポリマーフィルム壁要素を含む請求項９に記載の繊維ベール。
【請求項４０】
壁が酸素透過率が２５℃で１００平方インチ及び２４時間当り０．００１〜１８５ｃｍ3の壁要素を含む請求項９に記載の繊維ベール。
【請求項４１】
壁が酸素透過率が２５℃で１００平方インチ及び２４時間当り０．０１〜０．０６ｃｍ3の壁要素を含む請求項９に記載の繊維ベール。
【請求項４２】
壁がシール層を含む積層体包装材料から構成されている請求項９に記載の繊維ベール。
【請求項４３】
シール層が熱シール性ポリマーを含む請求項４２に記載の繊維ベール。
【請求項４４】
実質的に直方体形状のパッケージが底部片及び頂部片をそれらの縁部で接合させて頂壁、底壁及び複数の側壁を形成する請求項９に記載の繊維ベール。
【請求項４５】
エバキュエータがパッケージの内部から外部への一方向流を流すチェック弁を含む請求項９に記載の繊維ベール。
【請求項４６】
バルク材料を含むシールされたチャンバーを含んでなり、
バルク材料が繊維を含み、
シールされたチャンバーのバルク材料の密度が０．２〜０．９ｇ／ｃｍ3であり、
シールされたチャンバーが頂壁、底壁及び複数の側壁を含み、
パッケージが実質的に直方形の形状を有し、
シールされたチャンバーの頂部及び底部壁（その少なくとも一方の壁がエバキュエータを含む）が実質的に水平であり、そして
シールされたチャンバーの内部圧力が周囲大気圧力よりも低い繊維ベール。
【請求項４７】
繊維がセルロースアセテート繊維である請求項４６に記載の繊維ベール。
【請求項４８】
壁がポリマーフィルムから構成される請求項４６に記載の繊維ベール。
【請求項４９】
壁がポリエチレン、ポリプロピレン、エチレンビニルアルコールポリマー、ナイロン、マイラー、ポリエチレンテレフタレート、ポリエチレンテレフタレートグリコール、ポリイミド、ポリアミド二軸延伸ナイロン、線状低密度ポリエチレン及び超線状低密度ポリエチレンの一種又はそれ以上を含んでなる請求項４６に記載の繊維ベール。
【請求項５０】
壁がガスバリヤー、湿分バリヤー又は臭気バリヤーの１種又はそれ以上を提供する請求項４６に記載の繊維ベール。
【請求項５１】
生成ベールが幅８０ｃｍ〜１２０ｃｍ、長さ１００ｃｍ〜１５０ｃｍ及び高さ１０５ｃｍ〜１５５ｃｍである請求項４６に記載の繊維ベール。
【請求項５２】
生成ベールの内容積が０．９〜２．３ｍ3である請求項４６に記載の繊維ベール。
【請求項５３】
頂壁の中心の高さが頂壁の縁の高さより６．３％未満高い請求項４６に記載の繊維ベール。
【請求項５４】
頂壁の中心の高さが頂壁の縁の高さより２．４％未満高い請求項４６に記載の繊維ベール。